(57)【要約】【課題】小型・軽量化とコストダウン、部品点数の削減、組立性向上等を図ることができる光学式エンコーダを提供すること。【解決手段】モータ２０の軸方向端面に固定された有底筒状のベース２の開口部をカバー３で覆うことによって形成される空間Ｓ内に、前記ベース２を貫通するモータ軸２１と、該モータ軸２１の端部に結着されたロータ４と、該ロータ４に取り付けられた円板状のスリット板５及び該スリット板５に対向する光学センサ６を実装した基板７を収納して成る光学式エンコーダ１において、前記ベース２の外周面の複数箇所に軸方向に貫通する凹溝を形成するとともに、各凹溝に係合爪９を形成し、前記カバー３の外周部に前記ベース２の凹溝に嵌合する複数の係合片３Ｂを形成するとともに、各係合片３Ｂに係合孔１２を形成し、該係合孔１２に前記ベース２に形成された係合爪９を係合させることによってベース２とカバー３を結合する。【選択図】図１
2011122901.tif 000002
【特許請求の範囲】
【請求項１】
モータの軸方向端面に固定された有底筒状のベースの開口部をカバーで覆うことによって形成される空間内に、前記ベースを貫通するモータ軸と、該モータ軸の端部に結着されたロータと、該ロータに取り付けられた円板状のスリット板及び該スリット板に対向する光学センサを実装した基板を収納して成る光学式エンコーダにおいて、
前記ベースの外周面の複数箇所に軸方向に貫通する凹溝を形成するとともに、各凹溝に係合爪を形成し、前記カバーの外周部の複数箇所に、前記ベースの凹溝に嵌合する係合片を形成するとともに、各係合片に係合孔を形成し、該係合孔に前記ベースに形成された係合爪を係合させることによって前記ベースと前記カバーを結合したことを特徴とする光学式エンコーダ。
【請求項２】
前記カバーの各係合片の端部内周に切欠き溝を形成したことを特徴とする請求項１記載の光学式エンコーダ。
【請求項３】
前記カバーの前記基板に対向する面に基板受けボスを突設したことを特徴とする請求項１又は２記載の光学式エンコーダ。
【請求項４】
モータの軸方向端面の複数箇所に固定された有底筒状のベースの開口部をカバーで覆うことによって形成される空間内に、前記ベースを貫通するモータ軸と、該モータ軸の端部に結着されたロータと、該ロータに取り付けられた円板状のスリット板及び該スリット板に対向する光学センサを実装した基板を収納して成る光学式エンコーダにおいて、
前記ベース内周の開口側端部の複数箇所に凹溝を形成するとともに、該凹溝が形成された箇所のベース外周面に係合孔を軸方向に形成し、前記カバーの外周部の複数箇所に、前記ベースの凹溝に嵌合する係合片を形成するとともに、各係合片に係合爪を形成し、該係合爪を前記ベースに形成された係合孔に係合させることによって前記ベースと前記カバーを結合したことを特徴とする光学式エンコーダ。
【請求項５】
前記基板を前記ベースと前記カバーによって挟持することによって前記空間を密閉したことを特徴とする請求項１〜４の何れかに記載の光学式エンコーダ。
【請求項６】
前記モータ軸と前記ロータを金属で構成し、両者を圧入によって固定したことを特徴とする請求項１〜５の何れかに記載の光学式エンコーダ。
【請求項７】
前記ベースの前記モータ端面への当接面であって、且つ、前記モータの外周に径方向に突出する複数の電極板に対応する箇所に逃げ溝を形成したことを特徴とする請求項１〜６の何れかに記載の光学式エンコーダ。
【発明の詳細な説明】
【技術分野】
【０００１】
本発明は、モータの回転数や回転角度等を光学的に検出するための光学式エンコーダに関するものである。
【背景技術】
【０００２】
例えばロボットや医療機器、ＦＡ機器等には光学式エンコーダが使用されているが、この光学式エンコーダは、モータの軸方向端面に固体された有底筒状のベースの開口部をカバーで覆うことによって形成される空間内に、前記ベースを貫通するモータ軸と、該モータ軸の先端部に結着されたロータと、該ロータに取り付けられた円板状のスリット板及び該スリット板に対向する光学センサを実装した基板を収納することによって構成されている。
【０００３】
斯かる光学式エンコーダに関して、例えば特許文献１には、図９に示すように不図示のモータの端面に取り付けられたベース（基盤）１０２の外周にカバー（ケース）１０３を回動可能に嵌合し、カバー１０３の相対向する２箇所（図９には一方のみ図示）に形成された係合孔（スロット）１１２にベース１０２の外周２箇所に突設された係合突起１０９を係合させる構成が提案されている。この構成によれば、図９（ａ）に示すようにベース１０２とカバー１０３を互いに逆方向に回わせば、係合孔１１２の傾斜面１１２ａと係合突起１０９の傾斜面１０９ａとの係合による楔作用によって図９（ｂ）に示すようにカバー１０３がベース１０２から離間し、ベース１０２とカバー１０３によって形成される空間内に収容された不図示のスリット板（タイミングディスク）を回転自在とするために必要な隙間δがベース１０２とカバー１０３との間に形成される。
【先行技術文献】
【特許文献】
【０００４】
【特許文献１】特許第３１３７９１３号公報
【発明の開示】
【発明が解決しようとする課題】
【０００５】
しかしながら、特許文献１において提案された光学式エンコーダ１０１では、互いに結合されるベース１０２とカバー１０３の軸方向長さＬ’が大きくなる他、スリット板を落下しないようカバーに固定するためのサークリップ等が必要であり、部品点数が増加してコストアップするとともに、組立性が悪いという問題がある。
【０００６】
本発明は上記問題に鑑みてなされたもので、その目的とする処は、小型化、特に軸方向長さを短縮することができるとともに、部品点数の削減も可能となり、軽量化とコストダウン及び組立性向上等を図ることができる光学式エンコーダを提供することにある。
【課題を解決するための手段】
【０００７】
上記目的を達成するため、請求項１記載の発明は、モータの軸方向端面に固定された有底筒状のベースの開口部をカバーで覆うことによって形成される空間内に、前記ベースを貫通するモータ軸と、該モータ軸の端部に結着されたロータと、該ロータに取り付けられた円板状のスリット板及び該スリット板に対向する光学センサを実装した基板を収納して成る光学式エンコーダにおいて、前記ベースの外周面の複数箇所に軸方向に貫通する凹溝を形成するとともに、各凹溝に係合爪を形成し、前記カバーの外周部の複数箇所に、前記ベースの凹溝に嵌合する係合片を形成するとともに、各係合片に係合孔を形成し、該係合孔に前記ベースに形成された係合爪を係合させることによって前記ベースと前記カバーを結合したことを特徴とする。
【０００８】
請求項２記載の発明は、請求項１記載の発明において、前記カバーの各係合片の端部内周に切欠き溝を形成したことを特徴とする。
【０００９】
請求項３記載の発明は、請求項１又は２記載の発明において、前記カバーの前記基板に対向する面に基板受けボスを突設したことを特徴とする。
【００１０】
請求項４記載の発明は、モータの軸方向端面に固定された有底筒状のベースの開口部をカバーで覆うことによって形成される空間内に、前記ベースを貫通するモータ軸と、該モータ軸の端部に結着されたロータと、該ロータに取り付けられた円板状のスリット板及び該スリット板に対向する光学センサを実装した基板を収納して成る光学式エンコーダにおいて、前記ベース内周の開口側端部の複数箇所に凹溝を形成するとともに、該凹溝が形成された箇所のベース外周面に係合孔を軸方向に形成し、前記カバーの外周部の複数箇所に、前記ベースの凹溝に嵌合する係合片を形成するとともに、各係合片に係合爪を形成し、該係合爪を前記ベースに形成された係合孔に係合させることによって前記ベースと前記カバーを結合したことを特徴とする。
【００１１】
請求項５記載の発明は、請求項１〜４の何れかに記載の発明において、前記基板を前記ベースと前記カバーによって挟持することによって前記空間を密閉したことを特徴とする。
【００１２】
請求項６記載の発明は、請求項１〜５の何れかに記載の発明において、前記モータ軸と前記ロータを金属で構成し、両者を圧入によって固定したことを特徴とする。
【００１３】
請求項７記載の発明は、請求項１〜６の何れかに記載の発明において、前記ベースの前記モータ端面への当接面であって、且つ、前記モータの外周に径方向に突出する複数の電極板に対応する箇所に逃げ溝を形成したことを特徴とする。
【発明の効果】
【００１４】
請求項１記載の発明によれば、ベースをモータの端面に固定した後、該ベースにカバーを嵌め込んでこれを軸方向に押し込むだけで、該カバーに形成された係合孔とベースに形成された係合爪とが係合して両者が結合一体化されるため、この結合一体化されたベースとカバーの軸方向長さが短縮されて当該光学式エンコーダの小型・軽量化、部品点数の削減、コストダウン、組立性の向上等が図られる。尚、ベースにカバーを組み込む際、ベースに形成された凹溝がカバーの係合片の嵌め込みのガイドとして機能するとともに、ベースをモータに取り付ける際に凹溝が作業者の指の滑り止めとなるため、ベースをモータに対して高精度に位置合わせして取り付けることができる。
【００１５】
請求項２記載の発明によれば、カバーに形成された各係合片の端部内周に形成された切欠き溝に工具等を差し込んで係合片を径方向外方に押し拡げれば、該係合片に形成された係合孔とベースに形成された係合爪との係合が解除されるため、カバーをベースから容易に取り外すことができ、ベースの開口部に露出するロータやスリット板、基板の光学センサ等に対するメンテナンスを容易に行うことができる。
【００１６】
請求項３記載の発明によれば、カバーの基板に対向する面に突設された基板受けボスによって基板が受けられるため、基板の板厚のバラツキが基板受けボスの弾性変形又は圧潰によって吸収され、該基板をガタ無く確実に固定することができる。
【００１７】
請求項４記載の発明によれば、ベースをモータの端面に固定した後、該ベースにカバーを嵌め込んでこれを軸方向に押し込むだけで、該カバーに形成された係合爪とベースに形成された係合孔とが係合して両者が結合一体化されるため、この結合一体化されたベースとカバーの軸方向長さが短縮されて当該光学式エンコーダの小型・軽量化、部品点数の削減、コストダウン、組立性の向上等が図られる。
【００１８】
請求項５記載の発明によれば、基板をベースとカバーによって挟持することによって空間を密閉したため、外部や基板の外周面からのゴミの空間への侵入が確実に防がれ、空間内に収納されたスリット板や光学センサ等のゴミの付着による誤動作を防ぎ、モータの回転速度や回転角度を常に高精度に検出することができる。
【００１９】
請求項６記載の発明によれば、モータ軸とロータを金属で構成し、両者を圧入によって固定するようにしたため、ロータに必要な固定強度を確保するために必要な圧入代が短くて済み、当該光学式エンコーダの軸方向長さを更に短縮して一層の小型・軽量化を図ることができる他、ロータの空転が防がれるとともに、ロータの小型・軽量化によってイナーシャを小さく抑えることができ、当該光学式エンコーダの回転追従性が高められる。又、ロータを金属で構成したため、樹脂製のものに比して平坦度（平面度）が高められ、光学センサからの出力波形の精度が高められる。更に、ロータ４を金属製としたため、樹脂製のものに比して耐湿性及び耐熱性が高められる。
【００２０】
請求項７記載の発明によれば、ベースのモータ端面への当接面のモータの電極板に対応する箇所に逃げ溝を形成したため、電極板に接続される電源コードをベースの逃げ溝に組み込むことができ、該電源コードをコンパクトに配索することができる。
【図面の簡単な説明】
【００２１】
【図１】（ａ）は第１発明に係る光学式エンコーダの上面図、（ｂ）は（ａ）のＡ−Ａ線断面図である。
【図２】（ａ）は第１発明に係る光学式エンコーダのベースの上面図（（ｂ）の矢視Ｂ方向の図）、（ｂ）は（ａ）のＣ−Ｃ線断面図、（ｃ）は同ベースの底面図（（ｂ）の矢視Ｄ方向の図）、（ｄ）は同ベースの側面図（（ａ）の矢視Ｅ方向の図）である。
【図３】（ａ）は第１発明に係る光学式エンコーダのカバーの上面図（（ｂ）の矢視Ｆ方向の図）、（ｂ）は（ａ）の一部を破断して示す（ａ）の矢視Ｇ方向の図、（ｃ）は同カバーの底面図（（ｂ）の矢視Ｈ方向の図）、（ｄ）は同カバーの側面図（（ａ）の矢視Ｉ方向の図）である。
【図４】第１発明に係る光学式エンコーダの基板の平面図である。
【図５】（ａ）は第２発明に係る光学式エンコーダの上面図、（ｂ）は（ａ）のＪ−Ｊ線断面図である。
【図６】（ａ）は第２発明に係る光学式エンコーダのベースの上面図（（ｂ）の矢視Ｋ方向の図）、（ｂ）は（ａ）のＬ−Ｌ線断面図、（ｃ）は同ベースの底面図（（ｂ）の矢視Ｍ方向の図）、（ｄ）は同ベースの側面図（（ａ）の矢視Ｎ方向の図）である。
【図７】（ａ）は第２発明に係る光学式エンコーダのカバーの上面図（（ｂ）の矢視Ｏ方向の図）、（ｂ）は（ａ）の矢視Ｐ方向の図、（ｃ）は同カバーの底面図（（ｂ）の矢視Ｑ方向の図）、（ｄ）は同カバーの側面図（（ａ）の矢視Ｒ方向の図）である。
【図８】第２発明に係る光学式エンコーダの基板の平面図である。
【図９】（ａ）は従来の光学式エンコーダの組立中の状態を示す側面図、（ｂ）は同光学式エンコーダの組立後の状態を示す側面図である。
【発明を実施するための形態】
【００２２】
［第１発明］
以下に第１発明の実施の形態を添付図面に基づいて説明する。
【００２３】
図１（ａ）は第１発明に係る光学式エンコーダの上面図、図１（ｂ）は図１（ａ）のＡ−Ａ線断面図、図２は同光学式エンコーダのベースを示す図であって、（ａ）は（ｂ）の矢視Ｂ方向の図、（ｂ）は（ａ）のＣ−Ｃ線断面図、（ｃ）は（ｂ）の矢視Ｄ方向の図、（ｄ）は（ａ）の矢視Ｅ方向の図、図３は同光学式エンコーダのカバーを示す図であって、（ａ）は（ｂ）の矢視Ｆ方向の図、（ｂ）は一部を破断して示す（ａ）の矢視Ｇ方向の図、（ｃ）は（ｂ）の矢視Ｈ方向の図、（ｄ）は（ａ）の矢視Ｉ方向の図、図４は同光学式エンコーダの基板の平面図である。
【００２４】
第１発明に係る光学式エンコーダ１は、モータ２０の回転速度や回転角度を光学的に検出するものであって、モータ２０の軸方向端面に固定されたベース２の開口部をカバー３で覆うことによって形成される空間Ｓ内に、前記ベース２を貫通するモータ軸２１と、該モータ軸２１の先端部に結着されたロータ４と、該ロータ４に取り付けられた円板状のスリット板５及び該スリット板５に対向する光学センサ６を実装した基板７を収納して構成されている。
【００２５】
上記ベース２は、樹脂にて有底円筒状に一体成形されており、図２に示すように、その外周面の相対向する２箇所には軸方向に貫通する凹溝８が形成されており。各凹溝８の幅方向中央には係合爪９がそれぞれ一体に突設されている。又、ベース２の前記基板７への接合面である上端面の周方向４箇所には位置決めピン１０が上方（図２（ｂ）の左方）に向かって一体に突設されるとともに、凹溝８の両側には嵌合リブ１１が一体に突設されている。
【００２６】
更に、ベース２のモータ２０の端面に当接する底部２Ａの中心部には、モータ２０の中心部に回転可能に支持されたモータ軸２１が挿通する円孔２ａが形成されており、この円孔２ａの周囲の相対向する２箇所にはビス孔２ｂが形成されている。又、図２（ｃ）に示すように、ベース２の底面であって、且つ、モータ２０の外周の相対向する２箇所から径方向外方に突出する金属製の電極板２２（図１（ａ）参照）に対応する２箇所には外周に沿う円弧状の逃げ溝２ｃが形成されている。
【００２７】
他方、前記カバー３は、ベース２と同様に樹脂にて一体成形されており、図３に示すように円板状の本体部３Ａと、該本体部３Ａの外周の相対向する２箇所からベース２側に向かって直角に立設された矩形プレート状の係合片３Ｂを備えている。ここで、図３（ｃ）に示すように、各係合片３Ｂの外周面は、円板状の本体部３Ａの外周面に沿って円弧曲面状に成形されており、各係合片３Ｂには、図３（ｄ）に示すように矩形の係合孔１２がそれぞれ形成されている。そして、各係合孔１２は、図３（ａ），（ｄ）に示すように本体部３Ａを貫通しており、その一端は本体部３Ａの上端面に開口している。又、図３（ｂ），（ｃ）に示すように、各係合片３Ｂの端部内周には切欠き溝１３がそれぞれ形成されている。
【００２８】
又、カバー３の本体部３Ａには、基板７に取り付けられたコネクタ１６（図１参照）が貫通するための矩形孔３ａが形成されており、本体部３Ａの下面（基板７に対向する面）の４箇所（ベース２に突設された４つの前記位置決めピン１０に対応する箇所）には、図３（ｃ），（ｄ）に示すように、位置決め用の嵌合穴３ｂが形成されており、その嵌合穴３ｂの周囲には微小高さのリング状の基板受けボス１４が一体に突設されている。
【００２９】
更に、前記基板７は、図４に示すように、その外周の相対向する２箇所（カバー３の２つの係合片３Ｂに対応する２箇所）に直線状にカットされたストレート部７Ａが形成された略円板状の樹脂によって構成されており、その内面（図１に示す前記スリット板５に対向する側の面）には、レンズによって覆われた発光部と受光部を備えた前記受光センサ（センサＩＣ）６と電子部品１５が実装されており、他方の表面には図１に示す矩形のコネクタ１６が取り付けられている。尚、図１（ａ）に示すように、コネクタ１６には基板７の４つの端子７ａが設けられており、コネクタ１６に不図示のカプラーが差し込まれることによって各端子７ａに不図示のリード線がそれぞれ電気的に接続される。
【００３０】
又、図４に示すように、基板７の４箇所（ベース２の位置決めピン１０及びカバー３の嵌合穴３ｂに対応する４箇所）には位置決め用の円孔７ｂが形成されている。
【００３１】
ところで、本実施の形態に係る光学式エンコーダ１は、ベース２の開口部をカバー３で覆うことによって形成される空間Ｓ内に、ベース２を貫通するモータ軸２１と、該モータ軸２１の先端部に結着された円板状のロータ４と、該ロータ４の上面（基板７に実装された前記光学センサ６に対向する側の面）に接着シートや接着剤等によって接着された薄いリング状のスリット板５を収納して構成される。ここで、図示しないが、スリット板５には多数のスリットが放射状に形成されている。又、本実施の形態では、モータ軸２１とスリット板５はＳＵＳによって構成され、ロータ４はアルミニウムによって構成されており、ロータ４は、その中心部のボス部４Ａに貫設された円孔４ａにモータ軸２１を圧入することによって該モータ軸２１の先端部に固定されている。
【００３２】
次に、以上の構成を有する光学式エンコーダ１の組立要領について説明する。
【００３３】
先ず、ベース２の中心部に形成された円孔２ａにモータ軸２１を通すことによってベース２の底面を図１（ｂ）に示すようにモータ２０の端面に当接させ、モータ２０の端面のモータ軸２１周りに形成された円形のボス部２０Ａをベース２の円孔２ａに嵌合させることによって、該ベース２をモータ２０に対して位置決めする。そして、このベース２の底部２Ａに形成された２つのビス孔２ｂ（図１（ｂ）には１つのみ図示）に挿通するビス１７をモータ２０の端面にねじ込むことによってベース２をモータ２０の端面に固定する。この場合、ベース２の外周面に形成された凹溝８が作業者の指の滑り止めとなるため、ベース２をモータ２０に対して高精度に位置合わせして取り付けることができる。
【００３４】
上述のようにベース２をモータ２０の端面に固定すると、予めスリット板５が接着されたロータ４の円孔４ａにモータ軸２１の先端部を圧入することによって、ロータ４をスリット板５と共にモータ軸２１の先端に結着する。
【００３５】
上述のようにスリット板５が接着されたロータ４をモータ軸２１の先端部に結着すると、基板７の外周２箇所に形成されたストレート部７Ａをカバー３の２つの係合片３Ｂの内面に嵌合させることによって基板７をカバー３に対して位置決めするとともに、該基板７の表面に取り付けられたコネクタ１６をカバー３に形成された矩形孔３ａに嵌め込む。この場合、ベース２の各凹溝８の両側に形成された嵌合リブ１１に基板７のストレート部７Ａが勘合するため、基板７が嵌合リブ１１によってガイドされ、その組込作業性が高められる。すると、コネクタ１６が図１に示すようにカバー３の上端面から突出するとともに、基板７の４つの円孔７ｂがカバー３の内面に形成された４つの嵌合穴３ｂに合わせられ、基板７は、カバー３の内面の嵌合穴３ｂの周囲に突設された４つの基板受けボス１４によって受けられた状態でカバー３に保持される。
【００３６】
次に、基板７を保持するカバー３の２つの係合片３Ｂをベース２の外周２箇所に形成された凹溝８に嵌め込み、カバー３を基板７と共にベース２側に押し込むと、図１（ｂ）に示すように、カバー３の各係合片３Ｂに形成された係合孔１２にベース３の凹溝８に形成された係合爪９が係合し、カバー３がベース２に結合されて両者が一体化され、光学式エンコーダ１が組み立てられる。このとき、ベース２の上端面に突設された４つの位置決めピン１０が基板７の円孔７ｂを貫通してカバー３の嵌合穴３ｂに嵌合することによって基板７が位置決めされるとともに、該基板７がベース２とカバー３によって挟持され、ベース２とカバー３によって形成される空間Ｓは基板７によって密閉され、この密閉された空間Ｓにロータ４やこれに接着されたスリット板５、基板７に実装された光学センサ６や電子部品１５等が収納される。又、ベース２にカバー３を組み込む際、ベース３に形成された凹溝８がカバー２の係合片３Ｂの嵌め込みのガイドとして機能するため、カバー３のベース２への組込作業性が高められる。
【００３７】
而して、以上のようにして組み立てられた光学式エンコーダ１において、不図示の電源コードから電極板２２を介してモータ２０に給電がなされると、該モータ２０が起動されてモータ軸２１とその先端部に取り付けられたロータ４及びスリット板５が回転する。又、不図示のリード線から基板７に給電されると、光学センサ６の発光部から光がスリット板５に照射され、その光はスリット板５によって反射してパルス状の反射光として光学センサ６の受光部に入射する。そして、光学センサ６の受光部がパルス状の反射光を検出することによってモータ２０の回転数や回転角度が光学的に検出される。
【００３８】
以上において、本実施の形態では、ベース２をモータ２０の端面に固定した後、該ベース２にカバー３を嵌め込んでこれを軸方向に押し込むだけで、該カバー３の係合片３Ｂに形成された係合孔１２とベース２に形成された係合爪９とが係合して両者が結合一体化されるため、この結合一体化されたベース２とカバー３（光学式エンコーダ１全体）の軸方向長さＬが図９（ｂ）に示す従来の光学式エンコーダ１０１の軸方向長さＬ’に比して短縮され（Ｌ＜Ｌ’）、当該光学式エンコーダ１の小型・軽量化、部品点数の削減、コストダウン、組立性の向上等が図られる。このように、光学式エンコーダ１の軸方向長さＬが短縮された結果、コネクタ１６からの不図示のケーブルの引き出し方向を軸方向に統一することができ、ケーブルを直角に折り曲げて配索しても該ケーブルを含む光学式エンコーダ１の全長を従来のものよりも短くすることができる。
【００３９】
そして、本実施の形態では、モータ軸２１とロータ４を金属で構成し、両者を圧入によって固定するようにしたため、ロータ４に必要な固定強度を確保するために必要な圧入代が短くて済み、当該光学式エンコーダ１の軸方向長さを更に短縮して一層の小型・軽量化を図ることができる他、ロータ４の空転が防がれるとともに、ロータ４の小型・軽量化によってイナーシャを小さく抑えることができ、当該光学式エンコーダ１の回転追従性が高められる。更に、ロータ４を金属で構成したため、樹脂製のものに比して平坦度（平面度）が高められ、光学センサ６からの出力波形の精度が高められる。その他、ロータ４とスリット５を金属製としたため、樹脂製のものに比して耐湿性及び耐熱性が高められる。
【００４０】
又、本実施の形態では、カバー３の各係合片３Ｂの端部内周に切欠き溝１３を形成したため、該切欠き溝１３に工具等を差し込んで係合片３Ｂを径方向外方に押し拡げれば、該係合片３Ｂに形成された係合孔１２とベース３に形成された係合爪９との係合が解除されるため、カバー３をベース２から容易に取り外すことができ、ベース２の開口部に露出するロータ４やスリット板５、基板７の光学センサ６等に対するメンテナンスを容易に行うことができる。
【００４１】
更に、本実施の形態では、基板７は、カバー３の基板７に対向する面に突設された基板受けボス１４によって受けられるため、基板７の板厚のバラツキが基板受けボス１４の弾性変形又は圧潰によって吸収され、該基板７をガタ無く確実に固定することができる。
【００４２】
そして、本実施の形態では、基板７をベース２とカバー３によって挟持することによって空間Ｓを密閉したため、外部や基板７の外周面からのゴミの空間Ｓへの侵入が確実に防がれる。このため、空間Ｓ内に収納されたスリット板５や光学センサ６等のゴミの付着による誤動作が防がれ、モータ２０の回転速度や回転角度を常に高精度に検出することができる。
【００４３】
その他、本実施の形態では、ベース２のモータ２０端面への当接面のモータ２０の電極板２２に対応する箇所に逃げ溝２ｃを形成したため（図２（ｃ）参照）、電極板２２に接続される不図示の電源コードをベース２の逃げ溝２ｃに組み込むことができ、該電源コードをコンパクトに配索することができるという効果が得られる。
【００４４】
［第２発明］
次に、第２発明の実施の形態２を図５〜図８に基づいて説明する。
【００４５】
図５（ａ）は第２発明の実施の形態２に係る光学式エンコーダの上面図、図５（ｂ）は図５（ａ）のＪ−Ｊ線断面図、図６は同光学式エンコーダを示す図であって、（ａ）は（ｂ）の矢視Ｋ方向の図、（ｂ）は（ａ）のＬ−Ｌ線断面図、（ｃ）は（ｂ）の矢視Ｍ方向の図、（ｄ）は（ａ）の矢視Ｎ方向の図、図７は同光学式エンコーダのカバーを示す図であって、（ａ）は（ｂ）の矢視Ｏ方向の図、（ｂ）は（ａ）の矢視Ｐ方向の図、（ｃ）は（ｂ）の矢視Ｑ方向の図、（ｄ）は（ａ）の矢視Ｒ方向の図、図８は同光学式エンコーダの基板の平面図であり、これらの図においては図１〜図４に示したものと同一要素には同一符号を付しており、以下、それらについての再度の説明は省略する。
【００４６】
本実施の形態に係る光学式エンコーダ１’は、前記第１発明とは逆にベース２側に係合孔１２を形成し、カバー３側に係合爪９を形成したことを特徴としている。
【００４７】
即ち、図６（ａ），（ｂ）に示すように、ベース２の内周の相対向する２箇所の開口側端部にはストレート部８ａを有する凹溝８が形成されており、該凹溝８が形成された箇所の上端面外周には側面視矩形の嵌合リブ１１が上方に向かって一体に立設されている。そして、ベース２の前記凹溝８が形成された２箇所の外周面には、図６（ｂ）〜（ｄ）に示すように、矩形の係合孔１２が軸方向（上下方向）にそれぞれ形成されており、各係合孔１２はベース２の下端部を貫通してベース２の下端面に開口している。
【００４８】
他方、カバー３は、図７に示すように、その本体部３Ａの外周の相対向する２箇所に直線状にカットされたストレート部３ｃが形成されており、各ストレート部３ｃからは扁平な矩形プレート状の係合片３Ｂがベース２側に向かって直角に立設されている。そして、各係合片３Ｂの外面の幅方向中央には係合爪９がそれぞれ一体に突設されている。
【００４９】
又、カバー３の本体部３Ａの４箇所には、図７（ｂ）〜（ｄ）に示すように、大小各２つずつの位置決めピン１８，１９が下方（ベース２側）に向かって一体に突設されている。
【００５０】
更に、基板７は、図８に示すように、その外周の相対向する２箇所（カバー３の２つの係合片３Ｂに対応する２箇所）に直線状にカットされたストレート部７Ａが形成された略円板状の樹脂によって構成されており、その４箇所（カバー３の位置決めピン１８，１９に対応する４箇所）には位置決め用の大小２つずつの円孔７ｂ，７ｃが形成されている。
【００５１】
次に、以上の構成を有する光学式エンコーダ１’の組立要領について説明する。
【００５２】
先ず、ベース２の中心部に形成された円孔２ａにモータ軸２１を通すことによってベース２の底面を図５（ｂ）に示すようにモータ２０の端面に当接させ、モータ２０の端面のモータ軸２１周りに形成された円形のボス部２０Ａをベース２の円孔２ａに嵌合させることによって、該ベース２をモータ２０に対して位置決めする。そして、このベース２の底部２Ａに形成された２つのビス孔２ｂ（図５（ｂ）には１つのみ図示）に挿通するビス１７をモータ２０の端面にねじ込むことによってベース２をモータ２０の端面に固定する。
【００５３】
上述のようにベース２をモータ２０の端面に固定すると、予めスリット板５が接着されたロータ４の円孔４ａにモータ軸２１の先端部を圧入することによって、ロータ４をスリット板５と共にモータ軸２１の先端部に固定する。
【００５４】
上述のようにスリット板５が接着されたロータ４をモータ軸２１の先端部に結着すると、基板７の外周２箇所に形成されたストレート部７Ａをカバー３の２つの係合片３Ｂの内面に嵌合させることによって基板７をカバー３に対して位置決めするとともに、該基板７の表面に取り付けられたコネクタ１６をカバー３に形成された矩形孔３ａに嵌め込む。すると、コネクタ１６が図５に示すようにカバー３の上端面から突出するとともに、カバー３の内面に突設された大小２つずつの位置決めピン１８，１９が基板７に形成された大小２つずつの円孔７ｂ，７ｃに挿通し、基板７は、カバー３の内面によって受けられた状態でカバー３に保持される。
【００５５】
次に、基板７を保持するカバー３の２つの係合片３Ｂをベース２の外周２箇所に形成された凹溝８に嵌め込み、カバー３を基板７と共にベース２側に押し込むと、図５（ｂ）に示すように、カバー３の各係合片３Ｂに突設された係合爪９がベース２に形成された係合孔１２にそれぞれ係合し、カバー３がベース２に結合されて両者が一体化され、光学式エンコーダ１’が組み立てられる。尚、カバー３の係合片３Ｂをベース２の凹溝８に嵌め込む際、ベース２に形成された係合リブ１１がガイドとして機能するため、カバー３のベース２への組込作業性が高められる。すると、基板７がベース２とカバー３によって挟持され、ベース２とカバー３によって形成される空間Ｓは基板７によって密閉され、この密閉された空間Ｓにロータ４やこれに接着されたスリット板５、基板７に実装された光学センサ６や電子部品１５等が収納される。
【００５６】
而して、以上のようにして組み立てられた光学式エンコーダ１’において、不図示の電源コードから電極板２２を介してモータ２０に給電がなされると、該モータ２０が起動されてモータ軸２１とその先端部に取り付けられたロータ４及びスリット板５が回転する。又、不図示のリード線から基板７に給電されると、光学センサ６の発光部から光がスリット板５に照射され、その光はスリット板５によって反射してパルス状の反射光として光学センサ６の受光部に入射する。そして、光学センサ６の受光部がパルス状の反射光を検出することによってモータ２０の回転数や回転角度が光学的に検出される。
【００５７】
以上において、本実施の形態では、ベース２をモータ２０の端面に固定した後、該ベース２にカバー３を嵌め込んでこれを軸方向に押し込むだけで、該カバー３の係合爪９がベース２に形成された係合孔１２に係合して両者が結合一体化されるため、この結合一体化されたベース２とカバー３（光学式エンコーダ１’全体）の軸方向長さＬが図９（ｂ）に示す従来の光学式エンコーダ１０１の軸方向長さＬ’に比して短縮され（Ｌ＜Ｌ’）、当該光学式エンコーダ１’の小型・軽量化、部品点数の削減、コストダウン、組立性の向上等が図られる。
【００５８】
又、本実施の形態では、基板７をベース２とカバー３によって挟持することによって空間Ｓを密閉したため、外部や基板７の外周面からのゴミの空間Ｓへの侵入が確実に防がれる。このため、空間Ｓ内に収納されたスリット５板や光学センサ６等のゴミの付着による誤動作が防がれ、モータ２０の回転速度や回転角度を常に高精度に検出することができる。
【００５９】
その他、本実施の形態においても、ベース２のモータ２０端面への当接面のモータ２０の電極板２２に対応する箇所に逃げ溝２ｃを形成したため（図６（ｃ）参照）、電極板２２に接続される不図示の電源コードをベース２の逃げ溝２ｃに組み込むことができ、該電源コードをコンパクトに配索することができるという効果が得られる。又、スリット板５を金属製としたため、樹脂製のものに比して耐湿性が高められる。
【００６０】
尚、以上の実施の形態においては、ベース２又はカバー３の一方に形成される係合爪９と他方に形成される係合孔１２の個数をそれぞれ２としたが、これらの個数は２以上の複数であれば任意である。
【符号の説明】
【００６１】
１，１’    光学式エンコーダ
２          ベース
２Ａ        ベースの底部
２ａ        ベースの円孔
２ｂ        ベースのビス孔
２ｃ        ベースの逃げ溝
３          カバー
３Ａ        カバーの本体部
３Ｂ        カバーの係合片
３ａ        カバーの矩形孔
３ｂ        カバーの位置決め用嵌合穴
３ｃ        カバーのストレート部
４          ロータ
４Ａ        ロータのボス部
４ａ        ロータの円孔
５          スリット板
６          光学センサ
７          基板
７Ａ        基板のスレート部
７ａ        基板の端子
７ｂ，７ｃ  基板の位置決め用円孔
８          凹溝
８ａ        凹溝のストレート部
９          係合爪
１０        位置決めピン
１１        嵌合リブ
１２        係合孔
１３        カバーの切欠き溝
１４        カバーの基板受けボス
１５        電子部品
１６        コネクタ
１７        ビス
１８，１９  位置決めピン
２０        モータ
２０Ａ      モータのボス部
２１        モータ軸
２２        モータの電極板
Ｌ          光学式エンコーダの軸方向長さ
Ｓ          空間
【図１】
2011122901.tif 000003
【図２】
2011122901.tif 000004
【図３】
2011122901.tif 000005
【図４】
2011122901.tif 000006
【図５】
2011122901.tif 000007
【図６】
2011122901.tif 000008
【図７】
2011122901.tif 000009
【図８】
2011122901.tif 000010
【図９】
2011122901.tif 000011